(57)【要約】  【課題】被着面からの紙片等の取り外しが片手で容易に行えるとともに、ケーシングの外面全面を表示面として利用でき、しかも紙片等を固定するための固定具としての機能だけでなく、素朴な玩具的な面白みがあるマグネットバーを提供する。  【解決手段】被着面４に対して着脱自在に磁気吸着するマグネットバー１であって、円筒状のケーシング２を設け、ケーシング２の長さ方向の途中部内に複数の隔壁１３を設けて、ケーシング２内に長さ方向に間隔をあけて複数の収容部１４を形成し、収容部１４内に永久磁石３をその磁極３ｓ、３ｎ側が被着面４に対面できるように遊動自在に内装した。【選択図】図２
2011093126.tif 000002
【特許請求の範囲】
【請求項１】
被着面に対して着脱自在に磁気吸着するマグネットバーであって、
円筒状のケーシングを設け、
前記ケーシングの長さ方向の途中部内に複数の隔壁を設けて、ケーシング内に長さ方向に間隔をあけて複数の収容部を形成し、
前記収容部内に永久磁石をその磁極側が被着面に対面できるように遊動自在に内装した、
ことを特徴とするマグネットバー。
【請求項２】
前記ケーシングを周方向に２分割した２つの分割体で構成した請求項１記載のマグネットバー。
【請求項３】
前記ケーシングをその中心線を通る分割面で２分割した２つの分割体で構成した請求項１又は２記載のマグネットバー。
【請求項４】
請求項２又は３記載のマグネットバーの組立方法であって、前記一方の分割体を被着面に設置した状態で、該一方の分割体の収容部に永久磁石を順次装填して、装填した永久磁石を被着面に吸着させ、その後一方の分割体に他方の分割体を組み合わせることを特徴とするマグネットバーの組立方法。
【発明の詳細な説明】
【技術分野】
【０００１】
本発明は、紙片等を固定するのに好適に利用可能なマグネットバーに関する。
【背景技術】
【０００２】
磁石が吸着可能なスチール製壁面などの被着面に、紙片などからなるシート状の被着片を固定するための固定具として、リング状や円板状、扁平な長方形状の永久磁石に、その吸着面側を残して磁石を覆う合成樹脂材料からなる被覆部材を外装したものが広く実用化されている（例えば、特許文献１参照。）。
【０００３】
また、前記固定具として、合成樹脂材料からなる細長い棒状部材の一側面に、長さ方向に間隔をあけて複数の凹部を形成し、これら複数の凹部に永久磁石をそれぞれ組み付けた紙片固定具も提案されている（例えば、特許文献２、３参照。）。
【０００４】
ところが、前記特許文献１〜３に記載の固定具では、永久磁石の吸着面が固定的に設定されているため、固定具に文字や絵柄をプリントしたり、文字や絵柄をプリントしたシートを固定具の側面に貼り付けたりして、固定具の側面を表示面として利用する場合に、次のような問題がある。即ち、少なくとも永久磁石の吸着面は表示面とすることができず、また吸着面に隣接する面に関しても、表示面とすることは可能ではあるが、視認性を十分に確保することが困難である場合がある。したがって、通常は固定具の吸着面とは反対側の面のみを表示面として活用しており、固定具の側面全面を利用した効果的な表示ができないという問題がある。例えば、販促商品等においては、広告面積を極力増やすことが好ましいが、特許文献１〜３に記載の固定具では、広告面積を十分に確保できないという問題がある。また、被固定具を取付面に固定する基本機能しか有しておらず、遊び心の少ない、面白みに欠けるものであった。
【０００５】
そこで、本出願人は、特許文献４記載のように、断面多角形状の中空の細長いケーシング内に永久磁石を遊動自在に内装し、ケーシングの側面を表示面となしたマグネットバーを提案した。このマグネットバーでは、ケーシングの外面全面を表示面として利用することが可能となり、しかもケーシング内において永久磁石がカタカタと音を立てて移動するので、紙片等を固定するための固定具としての機能だけでなく、素朴な玩具的な面白みを利用者に提供できる。  
【先行技術文献】
【特許文献】
【０００６】
【特許文献１】特開平７−２２２３４号公報
【特許文献２】登録実用新案第３０４８０６０号公報
【特許文献３】特開２００３−３４１２６７号公報
【特許文献４】特開２００６−２０８９１３号公報
【発明の概要】
【発明が解決しようとする課題】
【０００７】
ところで、従来のマグネットバーにより紙片等を被着面に固定する際には、一方の手で紙片を保持して、紙片を被着面の適所に配置させ、他方の手でマグネットバーを保持して、紙片を挟んで被着面にマグネットバーを固定することで、紙片を被着面に固定することになり、また紙片等を被着面から取り外す際には、一方の手で紙片を保持しながら、他方の手でマグネットバーを取り外して、紙片を被着面から取り外すことになる。つまり、被着面に対して紙片を固定する際にも、被着面から紙片を取り外す際にも、両手を用いる必要があった。
【０００８】
本発明の目的は、被着面からの紙片等の取り外しが片手で容易に行えるとともに、ケーシングの外面全面を表示面として利用でき、しかも紙片等を固定するための固定具としての機能だけでなく、素朴な玩具的な面白みがあるマグネットバーを提供することである。
【課題を解決するための手段】
【０００９】
本発明に係るマグネットバーは、被着面に対して着脱自在に磁気吸着するマグネットバーであって、円筒状のケーシングを設け、前記ケーシングの長さ方向の途中部内に複数の隔壁を設けて、ケーシング内に長さ方向に間隔をあけて複数の収容部を形成し、前記収容部内に永久磁石をその磁極側が被着面に対面できるように遊動自在に内装したものである。
【００１０】
このマグネットバーにより紙片等をスチール製壁面などの被着面に取り付ける際には、一方の手で紙片等を保持して、被着面の適所に紙片等を配置させた状態で、他方の手でマグネットバーを保持して、紙片等を挟んでマグネットバーを被着面に配置させることで、マグネットバーに内装した永久磁石の磁気吸着力により、マグネットバー及び紙片を被着面に吸着保持することになる。このとき永久磁石は、ケーシングの収容部内において、磁気吸着力の強い磁極側が被着面に対面するように移動して、マグネットバー及び紙片等を被着面に吸着保持するので、小型な永久磁石を用いつつ十分な磁気吸着力を確保できる。このため、本発明ではマグネットバーのケーシングとして、転がり易い円筒形のケーシングを用いてはいるが、マグネットバーが鉛直な被着面に対して下側へ転動することを強力な磁気吸着力により確実に防止して、所望の位置にマグネットバーを吸着保持できることになる。一方、被着面に取り付けた紙片等を取り外す際には、一方の手で紙片の端部を保持して、該紙片の端部を前側或いは斜め上側へ引っ張ることで、マグネットバーが被着面に吸着保持されながら紙面外へ回転移動するので、片手で紙片等を取り外すことができる。
【００１１】
また、このマグネットバーでは、円筒形のケーシングを用いているので、ケーシングの外周面全面に、文字や絵柄をプリントや刻印したり、文字や絵柄をプリントしたシートを貼り付けたりして、外周面全体を表示面として利用することが可能となる。また、マグネットバーを手で持って振ったり、被着面上をマグネットバーが転がったりすると、ケーシング内において永久磁石がカタカタと音を立てて移動するので、マグネットバーが、紙片等を固定するための固定具としての機能だけでなく、素朴な玩具的な面白みのあるものとなる。
【００１２】
ここで、前記ケーシングを周方向に２分割した２つの分割体で構成することが好ましい実施の形態である。このように構成することで、ケーシングを分割した状態で、ケーシングの収容部内に永久磁石を装填することができる。特に、前記ケーシングをその中心線を通る分割面で２分割した２つの分割体で構成すると、アンダーカット等が形成されないように、２つの分割体を構成できるので、分割体の成形性を向上できる。
【００１３】
本発明に係るマグネットバーの組立方法は、請求項２又は３記載のマグネットバーの組立方法であって、前記一方の分割体を被着面に設置した状態で、該一方の分割体の収容部に永久磁石を順次装填して、装填した永久磁石を被着面に吸着させ、その後一方の分割体に他方の分割体を組み合わせるものである。
【００１４】
本発明に係るマグネットバーは、ケーシングが円筒状なので、マグネットバーを縦向きの被着面に磁気吸着させたときに、下側へ転がり易いという特性を有するので、永久磁石として角筒状のケーシングを用いた場合よりも、磁力の強い永久磁石を用いる必要がある。しかし、このような磁力の強い永久磁石を用いると、収容部内に永久磁石を装填するに際して、隣接する永久磁石同士が引っ付いてしまい、永久磁石を引き離すのに手間取るなど、収容部への永久磁石の装填作業が煩雑になるという問題がある。そこで、本発明の組立方法では、ケーシングの分割体を被着体に設置した状態で、収容部内に永久磁石を順次装填するので、収容部内に装填した永久磁石は被着体に吸着されることになり、該永久磁石が隣接する収容部に収容する永久磁石と引っ付いてしまうという問題を確実に防止することができ、ケーシング内への永久磁石の装填作業を、簡単な方法により効率的に行うことが可能となる。なお、この組立方法は、角筒状のケーシングに対して永久磁石を装填する場合にも適用できる。
【発明の効果】
【００１５】
本発明に係るマグネットバーによれば、紙片等を被着面に取り付ける際には、両手を用いる必要があるが、被着面から紙片等を取り外す際には、片手で容易に取り外すことができるので、紙片等の着脱操作性を向上できる。また、このマグネットバーでは、ケーシングの外周面全面に、文字や絵柄をプリントや刻印したり、文字や絵柄をプリントしたシートを貼り付けたりして、外周面全体を表示面として利用することが可能となる。更に、マグネットバーを手で持って振ったり、被着面上をマグネットバーが転がったりすると、ケーシング内において永久磁石がカタカタと音を立てて移動するので、マグネットバーが、紙片等を固定するための固定具としての機能だけでなく、素朴な玩具的な面白みのあるものとなる。
【００１６】
本発明に係るマグネットバーの組立方法では、ケーシングの分割体を被着体に設置した状態で、収容部内に永久磁石を順次装填するので、収容部内に装填した永久磁石は被着体に吸着されることになり、該永久磁石が隣接する収容部に収容する永久磁石と引っ付いてしまうという問題を確実に防止することができ、ケーシング内への永久磁石の装填作業を、簡単な方法により効率的に行うことが可能となる。
【図面の簡単な説明】
【００１７】
【図１】マグネットバーの使用状態の説明図
【図２】マグネットバーの分解斜視図
【図３】図１のIII-III線断面図
【発明を実施するための形態】
【００１８】
以下、本発明の実施例について図面を参照しながら説明する。
図１〜図３に示すように、マグネットバー１は、円筒状の中空の細長いケーシング２と、ケーシング２に遊動自在に内装した永久磁石からなる複数の磁石３とを備え、磁石３が吸着する鉄などの強磁性体からなる被着面４に紙片等の被着片５を固定するためのものである。
【００１９】
ケーシング２は、磁石３が吸着しない合成樹脂材料や金属材料で構成され、中心線を通る分割面で分割した半円筒状の２つの分割体１０Ａ、１０Ｂで構成されている。一方の分割体１０Ａの両側部には嵌合突部１１が形成され、他方の分割体１０Ｂの両側部には嵌合突部１１に嵌合可能な嵌合凹部１２が形成され、両分割体１０Ａは、嵌合突部１１を嵌合凹部１２に嵌合させることによって、円筒状に組み立てられている。ただし、接着剤などを用いて円筒状に組み立てることも可能であるし、ネジやその他の固定具を用いて円筒状に組み立てることもできる。また、ケーシング２は、収容部１４に対して磁石３を内装できるように分割構成されていれば、周方向に対して任意の範囲で且つ任意の個数に分割構成することができる。
【００２０】
ケーシング２の長さ方向の途中部内には複数の隔壁１３が設けられ、これら複数の隔壁１３によりケーシング２内には磁石３を遊動自在に収容可能な複数の収容部１４が長さ方向に間隔をあけて形成されている。具体的には、図２に示すように、隣接する２枚１組の隔壁１３が間隔をあけて３組設けられ、ケーシング２内は６枚の隔壁１３により７つの空間に区画され、磁石３は２枚１組の隔壁１３により形成される収容部１４に遊動自在に収容されている。本実施例では、１つのマグネットバー１に３つの磁石３を装填する関係上、２枚１組の隔壁１３を３組設けたが、隔壁１３の枚数は、ケーシング２に内装する磁石３の個数に応じて適宜に設定することができる。
【００２１】
なお、他方の分割体１０Ｂの隔壁１３は、例えば一方の分割体１０Ａに円板状の隔壁を設けることにより省略することができる。また、隔壁１３は、磁石３の遊動安定性を確保するために板状に形成することが好ましいが、１乃至複数本の棒状に構成することもできる。更に、隔壁１３に代えて、ケーシング２内に別部材からなるブロック状や箱状の仕切部材を内装固定し、磁石３を収容するための収容部１４をケーシング２内に形成することも可能である。
【００２２】
磁石３としては、アルニコ磁石、フェライト磁石、鉄・クロム・コバルト磁石、マンガン・アルミニウム・カーボン磁石、希土類磁石、ボンド磁石などの任意の素材からなる永久磁石を採用できる。また、磁石３の形状は、本実施例では図２に示すように、円柱状に形成したが、立方体や直方体などの多角柱状に形成することも可能である。また、小型な複数の永久磁石を組み合わせて、１つの磁石３を構成することも可能である。磁石３の個数は、固定する被着片５のサイズや厚さ等に応じて任意の個数に設定することができる。
【００２３】
磁石３は、磁石３のＳ極３ｓとＮ極３ｎとがケーシング２の長手方向と直交する方向、即ちＳ極３ｓ又はＮ極３ｎが被着面４に対面できるように収容部１４内に遊動自在に内装されている。ただし、磁石３の磁力が強い場合には、Ｓ極３ｓ及びＮ極３ｎがケーシング２の長手方向の両側に配置されるように収容部１４に内装し、ケーシング２の長手方向周りにおける磁気吸着力を一様に設定するように構成することもできる。
【００２４】
ケーシング２の外周面には、文字や絵柄などを直接的にプリントしたり刻印したりしてなる表示面が形成されている。但し、文字や絵柄をプリントしたシートやフィルムをケーシング２に貼り付けて、表示面を形成することもできるし、加熱により収縮するフィルムに文字や絵柄をプリントして筒状に形成し、これをケーシング２に外装させた状態でフィルムを熱収縮させて、ケーシング２にフィルムを一体的に外装することによって、文字や絵柄を形成した表示面を設けることもできる。プリントしたり刻印したりする文字や絵柄は、マグネットバー１の使用目的などに応じて任意に設定可能で、例えば販促商品として用いる場合には商品広告をプリントしたり刻印した表示面を設け、子供向けの文具として用いる場合には、各種アニメーションのキャラクター等をプリントしたり刻印した表示面を設けることができる。また、ケーシング２の長手方向の両端面を表示面として活用することも可能である。
【００２５】
このマグネットバー１では、被着面４とマグネットバー１間に紙片などからなるシート状の被着片５が挟まるように、被着片５とマグネットバー１とを被着面４に取り付けることで、マグネットバー１に内装した磁石３がその磁気吸着力によりケーシング２内において被着面４側へ移動し、磁石３の磁気吸着力によりマグネットバー１及び被着片５が被着面４に吸着保持され、被着片５が被着面４に固定されることになる。
【００２６】
具体的には、このマグネットバー１により紙片等をスチール製壁面などの被着面４に取り付ける際には、一方の手で紙片等を保持して、被着面４の適所に紙片等の被着片５を配置させた状態で、他方の手でマグネットバー１を保持して、紙片等の被着片５を挟んでマグネットバー１を被着面４に配置させることで、マグネットバー１に内装した磁石３の磁気吸着力により、マグネットバー１及び被着片５を被着面４に吸着保持させることになる。一方、被着面４に取り付けた紙片等の被着片５を取り外す際には、一方の手で紙片の被着片５の端部を保持して、図３に仮想線及び矢印Ａで示すように、該被着片５の端部を前側或いは斜め上側へ引っ張ることで、仮想線及び矢印Ｂで示すように、マグネットバー１が被着面４に吸着保持されながら被着片５外へ回転移動するので、片手で被着片５を取り外すことができる。このように、被着片５を被着面４に取り付ける際には、両手を用いる必要があるが、被着面４から被着片５を取り外す際には、片手で容易に取り外すことができるので、被着片５の着脱操作性を向上できる。
【００２７】
また、マグネットバー１を被着面４に吸着させた状態で、磁石３は収容部１４内において磁気吸着力が最も強いＳ極３ｓとＮ極３ｎが被着面４に対面するように移動して、被着面４に吸着保持されることになるので、小型な磁石３を用いつつ十分な磁気吸着力を確保できる。このため、本発明ではマグネットバー１のケーシング２として、転がり易い円筒形のケーシング２を用いてはいるが、マグネットバー１が鉛直な被着面４に対して下側へ転動することを強力な磁気吸着力により確実に防止して、所望の位置にマグネットバー１を吸着保持できることになる。
【００２８】
更に、このマグネットバー１では、円筒形のケーシング２を用いているので、ケーシング２の外周面全面に、文字や絵柄をプリントや刻印したり、文字や絵柄をプリントしたシートを貼り付けたりして、外周面全体を表示面として利用することが可能となる。また、マグネットバー１を手で持って振ったり、被着面４上をマグネットバー１が転がったりすると、ケーシング２内において永久磁石がカタカタと音を立てて移動するので、マグネットバー１が、紙片等を固定するための固定具としての機能だけでなく、素朴な玩具的な面白みのあるものとなる。
【００２９】
また、このマグネットバー１を組み立てるときには、一方の分割体１０Ａを水平は位置した鉄板等の被着面に設置した状態で、該一方の分割体１０Ａの収容部１４に磁石３を順次装填して、装填した磁石３を被着面に吸着させ、その後一方の分割体１０Ａに他方の分割体１０Ｂを組み合わせて組み立てることが好ましい。このように収容部１４内に装填した磁石３を被着体に吸着せるので、隣接する収容部１４に磁石３を装填するときに、該磁石３が、先に収容部１４に装填した磁石３と引っ付いてしまうという問題を確実に防止することができ、ケーシング２内への磁石３の装填作業を、簡単な方法により効率的に行うことができる。
【符号の説明】
【００３０】
１      マグネットバー      ２      ケーシング
３      磁石                ３ｎ    Ｎ極
３ｓ    Ｓ極                ４      被着面
５      被着片
１０Ａ  分割体              １０Ｂ  分割体
１１    嵌合突部            １２    嵌合凹部
１３    隔壁                １４    収容部
【図１】
2011093126.tif 000003
【図２】
2011093126.tif 000004
【図３】
2011093126.tif 000005